(57)【要約】【課題】動画的な面白みが見られ強いインパクトを与え興趣を十分に満足できるようにし、販促やキャンペーンでも宣伝効果が高められる好適な団扇を提供する。【解決手段】二つ折りした表板紙１ａと裏板紙１ｂから団扇本体２を形成し、表板紙１ａに開口５を開設し、裏板紙１ｂに開口５内に位置し互いに異なる絵・写真類の半分６ａ，７ｂずつを連ねて表示し、表・裏板紙１ａ，１ｂとの間に往復動する可動板部材１２を介装し、可動板部材１２にこれが往復動する方向に沿って移動する距離と同じ間隔を同じ方向に有する可動窓１３を開設し、可動板部材１２が往復動する方向であって可動窓１３の一側縁と他側縁の外側に互いに異なる絵・写真類の残りの半分７ａ，６ｂずつを表示し、可動板部材１２を往復動させることにより開口５を通して交互に変わる絵・写真類が見られるようにした。【選択図】図３
2008237667.tif 000002
【特許請求の範囲】
【請求項１】
一枚の板紙を二つ折りして重合される表板紙と裏板紙とから団扇本体を形成し、前記表板紙に開口を開設し、前記裏板紙に前記開口内に位置しかつ分離直線を境にして互いに異なる絵・写真類の半分ずつを連ねて表示し、前記表板紙と裏板紙との間に前記分離直線に対して直交する方向へ自在に往復動する可動板部材を介装し、前記可動板部材に該可動板部材が往復動する方向に沿って移動する距離と同じ寸法の間隔を同方向に有する可動窓を開設し、前記可動板部材が往復動する方向であって前記可動窓の一側縁とこれと対向する他側縁の外側にそれぞれ互いに異なる前記絵・写真類の残りの半分ずつを表示し、
前記可動板部材を前記分離直線に対して直交する方向へ往復動させることにより、前記異なる絵・写真類が交互に変わり、交互に変わる前記異なる絵・写真類が前記開口を通して見られるようにしたことを特徴とする団扇。
【請求項２】
一枚の板紙を二つ折りして重合される表板紙及び裏板紙と、前記裏板紙に連接され前記表・裏板紙の間に介装される中間板紙とから団扇本体を形成し、前記表板紙に開口を開設し、前記中間板紙に前記開口内に位置しかつ分離直線を境にして互いに異なる絵・写真類の半分ずつを連ねて表示し、前記表板紙と中間板紙との間に前記分離直線に対して直交する方向へ自在に往復動する可動板部材を介装し、前記可動板部材に該可動板部材が往復動する方向に沿って移動する距離と同じ寸法の間隔を同じ方向に有する可動窓を開設し、前記可動板部材が往復動する方向であって前記可動窓の一側縁とこれと対向する他側縁の外側にそれぞれ前記互いに異なる絵・写真類の残りの半分ずつを表示し、
可動板部材を前記分離直線に対して直交する方向へ往復動させることにより、前記異なる絵・写真類が交互に変わり、交互に変わる前記異なる絵・写真類が前記開口を通して見られるようにしたことを特徴とする団扇。
【発明の詳細な説明】
【技術分野】
【０００１】
本発明は、玩具や販促又はキャンペーンなどに好適に使用される団扇に関するものである。
【背景技術】
【０００２】
従来、玩具としてまたはプレミアムなどに使用される団扇がある。この団扇は、例えば、板紙製であって所定の位置に小さな長孔が設けられた団扇本体と、同じく板紙からなり前記長孔に係止し揺動可能な小片とで構成されている。そして、扇ぐたびに団扇本体が揺動し、これに伴い小片も揺動するようになっている。よって、団扇本体の表面に動物などのキャラクターが印刷され、小片が小さい団扇を持ったその動物の腕とした場合は、そのキャラクターが恰も小さい団扇を持って扇いでいるように見え、それによって使用者の注意を引き面白さを高めるようにしている（例えば、特許文献１参照。）。
【０００３】
【特許文献１】特開平８−２５２１０８号公報(第２−３頁、図１)
【発明の開示】
【発明が解決しようとする課題】
【０００４】
しかしながら、前記特許文献１の団扇は、団扇本体に設けた長孔に小片を係止して揺動させるに止まり動きが単調であって、表示される絵が瞬時に変化するといった動画的な面白みに乏しく、強いインパクトに欠けるばかりか使用者やその周囲の人が抱く興趣を満足させるに十分でなく、このため宣伝効果にも乏しかった。
【０００５】
そこで、本発明は、前記課題に鑑みてなされたものであり、動画的な面白みが見られるようにして強いインパクトを与え興趣を十分に満足できるようにし、これにより販促やキャンペーンでも宣伝効果が高められる好適な団扇を提供することを目的とするものである。
【課題を解決するための手段】
【０００６】
かかる目的を達成するため本発明に係る団扇は、一枚の板紙を二つ折りして重合される表板紙と裏板紙とから団扇本体を形成し、前記表板紙に開口を開設し、前記裏板紙に前記開口内に位置しかつ分離直線を境にして互いに異なる絵・写真類の半分ずつを連ねて表示し、前記表板紙と裏板紙との間に前記分離直線に対して直交する方向へ自在に往復動する可動板部材を介装し、前記可動板部材に該可動板部材が往復動する方向に沿って移動する距離と同じ寸法の間隔を同方向に有する可動窓を開設し、前記可動板部材が往復動する方向であって前記可動窓の一側縁とこれと対向する他側縁の外側にそれぞれ互いに異なる前記絵・写真類の残りの半分ずつを表示し、前記可動板部材を前記分離直線に対して直交する方向へ往復動させることにより、前記異なる絵・写真類が交互に変わり、交互に変わる前記異なる絵・写真類が前記開口を通して見られるようにしたことを特徴とする。
【０００７】
また、本発明は、一枚の板紙を二つ折りして重合される表板紙及び裏板紙と、前記裏板紙に連接され前記表・裏板紙の間に介装される中間板紙とから団扇本体を形成し、前記表板紙に開口を開設し、前記中間板紙に前記開口内に位置しかつ分離直線を境にして互いに異なる絵・写真類の半分ずつを連ねて表示し、前記表板紙と中間板紙との間に前記分離直線に対して直交する方向へ自在に往復動する可動板部材を介装し、前記可動板部材に該可動板部材が往復動する方向に沿って移動する距離と同じ寸法の間隔を同じ方向に有する可動窓を開設し、前記可動板部材が往復動する方向であって前記可動窓の一側縁とこれと対向する他側縁の外側にそれぞれ前記互いに異なる絵・写真類の残りの半分ずつを表示し、可動板部材を前記分離直線に対して直交する方向へ往復動させることにより、前記異なる絵・写真類が交互に変わり、交互に変わる前記異なる絵・写真類が前記開口を通して見られるようにしたことを特徴とする。
【発明の効果】
【０００８】
本発明に係る団扇は、可動板部材を往復動させることにより表板紙の開口を通して異なる絵・写真類が交互に変わり、動画的な面白みが見られるようになって強いインパクトが与えられ、使用者やその周囲の人が抱く興趣を十分に満足させることができ、これにより販促としてまたはキャンペーンに際しても高い宣伝効果が得られるという効果を奏する。
【発明を実施するための最良の形態】
【０００９】
以下、本発明に係る団扇の実施の形態を図面に基づき詳しく説明する。図１乃至図４は第一実施の形態に係る団扇（以下、単に「第一団扇」という。）を示し、図５乃至図８は第二実施の形態に係る団扇（以下、単に「第二団扇」という。）を示す。第一団扇Ａ１は、一枚の板紙を二つ折りして重合される表板紙１ａと裏板紙１ｂとからなる団扇本体２と、該団扇本体２に着脱自在に設けられる把持部材３とから構成される。
【００１０】
更に、詳しく説明すると、図３及び図４に示すように表板紙１ａも裏板紙１ｂも同じほぼ円形板状に形成され、その一側で連結部４により連接されている。そして、表板紙１ａのほぼ中央に方形状の開口５が開設される。裏板紙１ｂの内面ほぼ中央に、印刷により描かれた絵・写真類としての異なる二種類の絵６，７（猫の顔の絵６，兎の顔の絵７）であってそれぞれ分離直線８を境にしてそれぞれ半分、猫の顔の絵６にあっては上半分６ａ、兎の顔の絵７にあっては下半分７ｂが連ねて表示されている。前記半分ずつの絵６ａ，７ｂの両側であり、位置を異ならせて前記分離直線８の延長線に対して直交する一対の切込み９，９が設けられる。また、前記半分ずつの絵６ａ，７ｂの下方に把持部材３を設けるための一対の取付孔１０，１０が開設される。
【００１１】
本発明にあって、印刷により表示された絵・写真類とは、猫や人等の動物、自動車や家等の物、町や自然の風景、デザインであって印刷により表示された絵または写真をいう。よって、本実施の形態にあっては、猫と兎の顔の絵６，７を印刷したが、これ以外に例えば人の顔の絵、車の写真、自然の風景の写真などの絵・写真類をそれぞれ印刷するようにしても良い。
【００１２】
１２は、表板紙１ａと裏板紙１ｂとの間に介装され、手の操作で分離直線に対して直交する方向へ自在に往復動する可動板部材である。該可動板部材１２は、前記開口５の大きさよりも一回り大きい略正方形状をしており、そのほぼ中央に該可動板部材１２が往復動する方向にその距離と同じ寸法の間隔を同じ方向に有する可動窓１３が開設される。すなわち、該可動窓１３は、開口５のほぼ２分の１の大きさである。可動板部材１２に該可動板部材１２が往復動する方向であってその可動窓１３の一側縁とこれと対向する他側縁のそれぞれ外側に、前記互いに異なる兎の顔の絵７の残りの上半分７ａと猫の顔の絵６の残りの下半分６ｂが表示されている。
【００１３】
可動板部材１２の往復動する方向と平行な外周縁の対角線上に位置する角部に外方へ突出し、裏板紙１ｂの両切込み９，９に差し込まれる案内片１４，１４が設けられている。また、可動板部材１２の往復動する方向の一側縁であって把持部材３が取り付く側に、指を当てて可動板部材１２を摺動させるための操作片１５が設けられている。１１は裏板紙１ｂの一側に連接される糊付け片である。
【００１４】
把持部材３は、合成樹脂製であって先端部に扁平部３ａが形成されると共に基端部に把持部３ｂが形成される。扁平部３ａは、表側と裏側にその先端縁からそれぞれ３本の表係止片１６とそれらの間に位置する２本の裏係止片１７が突設されている。これら表・裏係止片１６，１７は裏板紙１ｂの厚みとほぼ同じ間隔Ｓを離して設けられており、その間隔Ｓに裏板紙１ｂが嵌め込まれることになる。裏係止片１７の先端部内面には、裏板紙１ｂの両取付孔１０，１０に嵌合する取付突起１８，１８が設けられる。把持部材３は表・裏面の適宜位置に複数のリブ１９を設けることにより、必要な強度が得られるようにしている。
【００１５】
第一団扇Ａ１は上記構成からなり、まず、把持部材３の扁平部３ａの間隔Ｓに裏板紙１ｂを差し込み、両取付突起１８，１８を両取付孔１０，１０に嵌合する。次に、裏板紙１ｂの内面に猫と兎の顔の絵の上半分６ｂと下半分７ａが印刷された面を外側にして可動板部材１２を重ね、両側の案内片１４，１４を切込み９，９に差し込む。この状態で、裏板紙１ｂに表板紙１ａを重ね、内側へ折り曲げた糊付け片１１など互いの必要個所を接着すると共に可動板部材１２の操作片１５を表板紙１ａの両取付孔１０，１０近くに設けられた引出切込み２０に差し込んで、表板紙１ａの外側へ出す。このとき、操作片１５の先端部が把持部材３の扁平部３ａまで達し、把持部材３を握った指で接触させて操作できるようになっている。
【００１６】
このようにして組み立てられた本発明に係る第一団扇Ａ１は、把持部材３を持って通常のように扇ぐことができる。また、図１のように可動板部材１２が把持部材３とは反対側の端へ移動したときは、該可動板部材１２の可動窓１３が開口５の中で把持部材３とは反対側へ移動して、猫の顔の絵の上半部６ａと下半部６ｂとが繋がって全体に猫の顔の絵６になる。一方、操作片１５を引き出すと、図２に示すように可動板部材１２の可動窓１３が開口５の中で把持部材３側へ移動して、兎の顔の絵の上半部７ａと下半部７ｂとが繋がって全体に兎の顔の絵７になる。
【００１７】
以上のように、第一団扇Ａ１にあっては操作片１５を操作し可動板部材１２を往復動させることにより、表板紙１ａの開口５を通して絵が猫の顔の絵６から兎の顔の絵７またはその逆に瞬時に変化する。このように、瞬時に変わる動画的な面白みが見られ、強いインパクトが与えられ使用者やその周囲の人が抱く興趣を十分に満足できることになる。これにより、販促としてまたはキャンペーンに際しても高い宣伝効果が得られる。
【００１８】
第二団扇Ａ２は、第一団扇Ａ１とほぼ同じ構成からなるので、同一部位は同一番号を附することにより詳しい説明は省略する。図７及び図８に示すように、この第二団扇Ａ２の団扇本体２は、第一団扇Ａ１と同様に一枚の板紙を二つ折りして重合される表板紙１ａと裏板紙１ｂとを有する。また、該団扇本体２には、把持部材３が着脱自在に設けられる。そして、この場合、裏板紙１ｂに表板紙１ａとは別の箇所で連結部２２を介して中間板紙２３が連接され、該中間板紙２３の外面に分離直線８を境として猫の顔の絵の上半分６ａと兎の顔の絵の下半部７ｂとが連なった絵が表示される。また、その絵の両側に可動板部材１２の往復動する方向と平行をなすようにして切込み９，９が設けられている。
【００１９】
そこで、まず、把持部材３の扁平部３ａの間隔Ｓに裏板紙１ｂを差し込み、両取付突起１８，１８を両取付孔１０，１０に嵌合する。次に、裏板紙１ｂの内面に連結部２２で折り曲げて中間板紙２３を重ねると共にその外面に可動板部材１２を重ね、両側の案内片１４，１４を切込み９，９に差し込む。この状態で、裏板紙１ｂに表板紙１ａを重ね、互いの必要個所を接着すると共に可動板部材１２の操作片１５を表板紙１ａの両取付孔１０，１０近くに設けられた引出切込み２０に差し込んで、表板紙１ａの外側へ出す。この場合も、操作片１５の先端部が把持部材３の扁平部３ｂ付近まで達し、把持部材３を握った指で接触させ操作できるようになっている。
【００２０】
本発明に係る第二団扇Ａ２は、把持部材３を持って通常のように扇ぐことができ、また、第一団扇Ａ１と同様に図５及び図６に示すように可動板部材１２が把持部材３とは反対側の端へ移動したときは、該可動板部材１２の可動窓１３が開口５の中で把持部材３とは反対側へ移動して、猫の顔の絵の上半部６ａと下半部６ｂとが繋がって全体に猫の顔の絵６になる。一方、操作片１５を引き出すと、可動板部材１２の可動窓１３が開口５の中で把持部材３側へ移動して、兎の顔の絵の上半部７ａと下半部７ｂとが繋がって全体に兎の顔の絵７になる。
【００２１】
この場合も、操作片１５を操作し可動板部材１２を往復動させることにより、表板紙１ａの開口５を通して絵が猫の顔の絵６から兎の顔の絵７またはその逆に瞬時に変化する。このように、瞬時に変わる動画的な面白みが見られ、強いインパクトが与えられ使用者やその周囲の人が抱く興趣を十分に満足できることになる。これにより、販促としてまたはキャンペーンに際しても高い宣伝効果が得られる。特に、第二団扇Ａ２にあっては、中間板紙２３の切込み９，９に案内片１４，１４を差し込んで可動板部材１２を往復動させるようにしたので、第一団扇Ａ１のように可動板部材１２の両案内片１４，１４が裏板紙１ｂの外側に露出しないことから、それらが邪魔にならず、しかも、それらに手などを引っ掛けて案内片１４や切込みを破損させる心配がない。
【００２２】
また、第一・第二団扇Ａ１，Ａ２にあっては、団扇本体２を構成する表・裏板紙１ａ，１ｂまたは表・裏板紙１ａ，１ｂと中間板紙２３が、いずれも一枚板紙から成形され、しかも、これらを折り曲げるのみで形成されるので、印刷すなわち片面に一回印刷するのみで済み、成形が容易になり製作の作業能率も向上する。
【００２３】
なお、把持部材３が団扇本体２に対して着脱自在に設けられているので、例えば第一・第二団扇Ａ１，Ａ２を廃棄処分する場合、団扇本体１ａ，１ｂが板紙製であるのに対し把持部材３が合成樹脂製であるとしても、これらは容易に分離でき、分別処理がし易い。また、表・裏板紙の外形形状は、本実施の形態のように丸形状に限らず、例えば正方形などの正多角形状であっても良い。
【図面の簡単な説明】
【００２４】
【図１】操作片を操作しない状態の第一団扇の斜視図。
【図２】操作片を操作した状態の第一団扇の斜視図。
【図３】表板紙を開いた状態の第一団扇の斜視図。
【図４】第一団扇の分解斜視図。
【図５】操作片を操作しない状態の第二団扇の斜視図。
【図６】操作片を操作した状態の第二団扇の斜視図。
【図７】表板紙を開いた状態の第二団扇の斜視図。
【図８】第二団扇の分解斜視図。
【符号の説明】
【００２５】
１ａ        表板紙
１ｂ        裏板紙
２          団扇本体
５          開口
６          猫の顔の絵
６ａ        猫の顔の絵の上半分
６ｂ        猫の顔の絵の下半分
７          兎の顔の絵
７ａ        兎の顔の絵の上半分
７ｂ        兎の顔の絵の下半分
８          分離直線
１２        可動板部材
１３        可動窓
２３        中間板紙
Ａ１        第一団扇
Ａ２        第二団扇
【図１】
2008237667.tif 000003
【図２】
2008237667.tif 000004
【図３】
2008237667.tif 000005
【図４】
2008237667.tif 000006
【図５】
2008237667.tif 000007
【図６】
2008237667.tif 000008
【図７】
2008237667.tif 000009
【図８】
2008237667.tif 000010